(57)【要約】【課題】物品の識別コードによって紐付けした物品の寸法データ、重量データ及び外表面の画像データを得ることができるカメラ付き寸法重量測定装置を提供する。【解決手段】寸法重量測定装置の枠体２４の上側枠２４１に、下方が写るようにカメラを設け、基台２１の前側に操作画面を表示するプログラマブル表示器２３を設ける。瞬間調光ガラス２２の上に商品を載置し、操作画面の撮像ボタンを押して商品をカメラで撮影し、その画像をプログラマブル表示器２３に取り込む。操作画面の測定開始ボタンを押して枠体２４を移動し、商品の寸法データを測定して測定データをプログラマブル表示器２３に取り込む。プログラマブル表示器２３は、商品の識別コードを介してカメラ画像及び測定データを紐付けし、保持する。瞬間調光ガラス２２は、カメラ撮影時に非透明化し、寸法測定時に透明化する。【選択図】図１
2017067733.tif 000002
【特許請求の範囲】
【請求項１】
対向する上下の枠部及び対向する左右の枠部を有する枠体と、
前記枠体の下方を支持する基台と、
前記枠体の前記上下の枠部及び左右の枠部で構成される空間内を通って相対的に移動する被測定物品と、
前記上下の枠部の一方の対向する面に配列された複数の第１の発光素子と、
前記上下の枠部の他方に前記第１の発光素子と対向するように配列された複数の第１の受光素子と、
前記左右の枠部の一方の対向面に配列された複数の第２の発光素子と、
前記左右の枠部の他方に前記第２の発光素子と対向するように配列された複数の第２の受光素子と、
前記基台の内側に設けられた、前記被測定物品の重量を計測する秤量器と、
を備える寸法重量測定装置であって、
前記枠体の前記枠部に前記被測定物品を写すために設けられたカメラと、
前記基台に設けられた、操作画面を表示するプログラマブル表示器と、
を有し、
前記プログラマブル表示器は、
前記被測定物品を撮影した前記カメラの画像を取り込み、
前記被測定物品と前記枠体との相対的移動を通じて計測された前記被測定物品の寸法データと、前記秤量器で計測された前記被測定物品の重量データとを取り込み、
前記カメラの画像、寸法データ及び重量データと、前記被測定物品の識別コードとを紐付けして保持する、
ことを特徴とするカメラ付き寸法重量測定装置。
【請求項２】
請求項１に記載のカメラ付き寸法重量測定装置であって、
前記被測定物品の識別コードがバーコードリーダーにより読み取られ、前記プログラマブル表示器に取り込まれる、
ことを特徴とするカメラ付き寸法重量測定装置。
【請求項３】
請求項２に記載のカメラ付き寸法重量測定装置であって、
前記プログラマブル表示器は、前記被測定物品の前記識別コード、カメラの画像、寸法データ及び重量データを表示する表示領域を備え、該表示領域には、それらのデータが保持された被測定物品の中から選択された被測定物品の前記データが表示される、
ことを特徴とするカメラ付き寸法重量測定装置。
【請求項４】
請求項３に記載のカメラ付き寸法重量測定装置であって、
前記表示領域に表示された前記カメラの画像を取り直すことができる、
ことを特徴とするカメラ付き寸法重量測定装置。
【請求項５】
請求項３に記載のカメラ付き寸法重量測定装置であって、
前記プログラマブル表示器には、前記被測定物品と前記枠体との相対的移動時に、前記被測定物品の寸法データとともに前記被測定物品のシルエット画像が取り込まれて前記表示領域に表示される、
ことを特徴とするカメラ付き寸法重量測定装置。
【請求項６】
請求項１から５のいずれかに記載のカメラ付き寸法重量測定装置であって、
前記被測定物品を載置するガラス板を備え、
前記ガラス板を囲む前記枠体が、前記第１の受光素子の配列方向と直交する方向に移動できるように前記基台に支持されている、
ことを特徴とするカメラ付き寸法重量測定装置。
【請求項７】
請求項６に記載のカメラ付き寸法重量測定装置であって、
前記ガラス板が瞬間調光ガラス板から成り、前記瞬間調光ガラス板が、前記被測定物品を撮影するときに非透明になり、前記被測定物品の寸法データを得るために前記前記枠体が移動するときに透明になる、
ことを特徴とするカメラ付き寸法重量測定装置。
【請求項８】
請求項７に記載のカメラ付き寸法重量測定装置であって、
前記瞬間調光ガラス板の前記被測定物品の載置面に反射防止膜を有する、
ことを特徴とするカメラ付き寸法重量測定装置。
【発明の詳細な説明】
【技術分野】
【０００１】
本発明は、物品のサイズや重量を測定し、それらの測定データと共に物品の画像データを物品の識別コードに紐付けして出力するカメラ付き寸法重量測定装置に関し、商品マスターやピッキングリスト等に登録されるデータの提供を可能にしたものである。
【背景技術】
【０００２】
物流センターでは、入荷した商品を検品して保管し、顧客から注文が入ると、保管されている商品からオーダーされた商品を選び出し（ピッキング）、ピッキングした商品に間違いがないかを検品した後、出荷先に配送する。
ピッキング作業は、一般的に、プリントアウトされたピッキングリストや、デジタル表示器やハンディターミナル等に表示されたピッキングリストに従って作業者が人手で行っている。
ピッキングリストは、発注商品の情報に対して商品マスターに登録された商品の属性情報や商品の棚位置情報が紐付けされて作成され、商品コード、商品名、出荷先、商品の棚位置、ピッキング数量等の情報を含んでいる。
商品マスターには、商品コードをキーとして、商品名、レシート品名、サイズ、重量、色、メーカーコード、標準売価、賞味期限、登録日、廃棄日、ケース入り数等、商品の詳細な属性情報が登録されている。
【０００３】
商品マスターに登録する商品のサイズは、下記特許文献１に記載された寸法測定装置で測定することができる。
この装置は、図１１（ａ）（側面図）、図１１（ｂ）（正面図）に示すように、基台１と、基台１上に設けられた、被測定物品Ｗを載置するガラス板２と、ガラス板２を囲む枠体４と、枠体４を図１１（ａ）のＸ方向に往復動させる駆動手段と、枠体４の下枠４ｂに等間隔に配列された発光素子８と、枠体４の上枠４ａに等間隔に配列された受光素子５とを備えている。
この装置では、枠体４の移動時に、発光素子８の光束が物品Ｗで遮断されて到達しない受光素子５の位置（光遮断位置）を検知することにより物品Ｗの寸法測定が行われる。物品ＷのＸ方向の寸法は、受光素子５が光遮断状態に在る間の枠体４の移動距離に基づいて算出され、また、Ｘ方向に直交するＹ方向の物品Ｗの寸法は、枠体４の上枠４ａに配列された受光素子５の内で光遮断状態に在る受光素子５の端から端までの距離に基づいて算出される。
また、この装置では、図１２に示すように、基台１内に秤量部８を設けることで、ガラス板２上の物品Ｗの寸法と共に、物品Ｗの重量の測定が可能になることが下記特許文献２に記載されている。
【０００４】
また、下記特許文献３には、図１３に示すように、枠体４の上下の枠の一方に発光素子の配列、他方に受光素子の配列を設け、枠体４の左右の枠の一方に発光素子の配列、他方に受光素子の配列を設けることにより物品Ｗの長さ、幅、高さを測定することが記載されている。なお、特許文献３の装置では、特許文献１とは異なり、枠体４を固定し、物品Ｗの方を移動させているが、特許文献３の構成が特許文献１の装置にも適用できることは自明である。
また、特許文献３には、図１４に示すように、物品Ｗと枠体４とが相対移動する時の光遮断状態に在る受光素子の位置を順次記憶して、物品Ｗのシルエット画像を得ることが記載されている。図１４（ａ）は、枠体４の上下の枠の一方に配列された受光素子により検出される物品Ｗの平面図のシルエットパターンを示し、図１４（ｂ）は、枠体４の左右の枠の一方に配列された受光素子により検出される物品Ｗの側面図のシルエットパターンを示している。
【先行技術文献】
【特許文献】
【０００５】
【特許文献１】特許第３７４６７６９号公報
【特許文献２】特許第４２４２７３５号公報
【特許文献３】特許第５５８８１５３号公報
【発明の概要】
【発明が解決しようとする課題】
【０００６】
物流センターの業務の内で、最も多くの時間を費やしているのがピッキング作業である。ピッキング時の商品の取り間違いは絶対に許されない。そのため、棚から取った商品の商品コードとピッキングリストの商品コードとを照合してピッキングミスの発生を防いでいるが、商品を取り間違っていた場合、その商品を棚に戻し、新たな商品を棚から取り出す必要があり、作業時間が延びる原因になる。また、ピッキングミスを恐れて、棚から取り出す商品がピッキングリストの商品と一致しているか否かを慎重に見極めている時間も作業時間を延ばしている。
特に、取扱い商品が医薬品の場合、品目数が多く、商品形状による区別がし難く、またピッキングミスがヒトの命に関わることもあるため、ピッキング作業が特に注意深く行われ、それ故に作業時間が長期化する傾向がある。
【０００７】
こうしたピッキング作業の遅延要因は、ピッキングすべき商品の外表面の画像をピッキングリストに載せ、或いは、その画像をデジタル表示器やハンディターミナルに表示できるようにすることで改善できる。作業員が商品の外表面を見て、ピッキングすべき商品か否かを迅速に判断できるためである。
【０００８】
本発明は、こうした事情を考慮して創案したものであり、商品マスターやピッキングリスト等に登録可能なデータであって、物品の識別コードに紐付けした物品の寸法データ、重量データ及び外表面の画像データを得ることができるカメラ付き寸法重量測定装置を提供することを目的としている。
【課題を解決するための手段】
【０００９】
本発明は、対向する上下の枠部及び対向する左右の枠部を有する枠体と、枠体の下方を支持する基台と、枠体の上下の枠部及び左右の枠部で構成される空間内を通って相対的に移動する被測定物品と、上下の枠部の一方の対向する面に配列された複数の第１の発光素子と、上下の枠部の他方に第１の発光素子と対向するように配列された複数の第１の受光素子と、左右の枠部の一方の対向面に配列された複数の第２の発光素子と、左右の枠部の他方に第２の発光素子と対向するように配列された複数の第２の受光素子と、基台の内側に設けられた、被測定物品の重量を計測する秤量器と、を備える寸法重量測定装置であって、枠体の枠部に被測定物品を写すために設けられたカメラと、基台に設けられた、操作画面を表示するプログラマブル表示器と、を有し、プログラマブル表示器は、被測定物品を撮影したカメラの画像を取り込み、被測定物品と枠体との相対的移動を通じて計測された被測定物品の寸法データと、秤量器で計測された被測定物品の重量データとを取り込み、カメラの画像、寸法データ及び重量データと、被測定物品の識別コードとを紐付けして保持する、ことを特徴とする。
この装置では、商品マスターやピッキングリストに登録可能な、物品の識別コードに紐付けした物品の寸法データ、重量データ及び外表面の画像データを得ることができる。
【００１０】
また、本発明のカメラ付き寸法重量測定装置では、被測定物品の識別コードがバーコードリーダーにより読み取られ、プログラマブル表示器に取り込まれる。
【００１１】
また、本発明のカメラ付き寸法重量測定装置では、プログラマブル表示器が、被測定物品の識別コード、カメラの画像、寸法データ及び重量データを表示する表示領域を備え、この表示領域に、それらのデータが保持された被測定物品の中から選択された被測定物品のデータが表示される。
以前にプログラマブル表示器に保持・登録されたデータを呼び出して表示することもできる。
【００１２】
また、本発明のカメラ付き寸法重量測定装置では、表示領域に表示されたカメラの画像を取り直すことができる。
商品の表面の表示だけが変更されたような場合、以前にプログラマブル表示器に記録・保持されたデータを呼び出してカメラ画像の更新を行うことができる。
【００１３】
また、本発明のカメラ付き寸法重量測定装置では、被測定物品と枠体との相対的移動時に、プログラマブル表示器には、被測定物品の寸法データとともに被測定物品のシルエット画像が取り込まれて表示領域に表示される。
被測定物品と枠体との相対的移動時に、被測定物品のシルエット画像を表示することにより、作業者は、寸法データのプログラマブル表示器への取込みがどこまで行われているかを確認することができる。最終的に得られたシルエット画像は、被測定物品の識別コードと紐付けられる。
【００１４】
また、本発明のカメラ付き寸法重量測定装置では、被測定物品を載置するガラス板を備え、ガラス板を囲む枠体が、第１の受光素子の配列方向と直交する方向に移動できるように基台に支持されていることが望ましい。
この方式の場合、被測定物品は移動しないので、被測定物品に加わる振動が無い。そのため、精密な計測が可能になる。
【００１５】
また、本発明のカメラ付き寸法重量測定装置では、ガラス板を瞬間調光ガラス板で構成し、この瞬間調光ガラス板を、被測定物品を撮影するときには非透明にし、被測定物品の寸法データを得るために枠体が移動するときには透明にすることが好ましい。
枠体が移動する寸法測定時には、発光素子の光束がガラス板を通過して受光素子に達するようにガラス板を透明にする必要があるが、カメラで被測定物品を撮影する時には、ガラス板が透明であると、基台の内部が写り込むため、非透明化することが望ましい。
【００１６】
また、本発明のカメラ付き寸法重量測定装置では、瞬間調光ガラス板の被測定物品の載置面に反射防止膜を設けることが望ましい。
カメラで被測定物品を撮影する時に、被測定物品以外の物が瞬間調光ガラス板に反射して写り込むのを防ぐことが望ましい。
【発明の効果】
【００１７】
本発明のカメラ付き寸法重量測定装置を用いれば、物品の寸法や重量等の属性データを物品の外表面の画像データと簡単に関係付けることができる。そして、物品の外表面の画像データと関係付けた物品の属性データを商品マスターやピッキングリストに登録することでピッキング作業の効率化を図ることができる。
【図面の簡単な説明】
【００１８】
【図１】本発明の実施形態に係るカメラ付き寸法重量測定装置の斜視図
【図２】図１の装置の正面図（ａ）とＡ−Ａ位置断面図（ｂ）
【図３】瞬間調光ガラスの説明図
【図４】プログラマブル表示器の構成を示すブロック図
【図５】寸法重量測定部本体の構成を示すブロック図
【図６】図１のカメラ付き寸法重量測定装置の動作を示すフロー図
【図７】プログラマブル表示器の表示画面を示す図
【図８】撮影ボタンが押されたときの図７の表示画面を示す図
【図９】寸法・重量測定が行われたときの図７の表示画面を示す図
【図１０】バーコードデータに紐付けされた画像データ及び測定データを示す図
【図１１】従来の寸法測定装置を示す図
【図１２】従来の寸法重量測定装置を示す図
【図１３】枠体の上下枠及び左右枠に発光素子・受光素子の対が設けられた従来の寸法重量測定装置の枠体を示す図
【図１４】シルエット画像を説明する図
【発明を実施するための形態】
【００１９】
図１は、本発明の実施形態に係るカメラ付き寸法重量測定装置を示している。この装置は、基台２１と、基台２１上に設けられた、被測定物品Ｗを載置する瞬間調光ガラス板２２と、図１１（ｂ）の枠体４と同様に、瞬間調光ガラス板２２を囲む枠体２４と、枠体２４を図１のＸ方向に往復動させる駆動手段（不図示）と、基台２１の前側に配置されたプログラマブル表示器２３とを備えている。
図１１（ｂ）の枠体４と同様に、枠体２４の下枠には複数の発光素子が等間隔に配列され、枠体２４の上枠２４１には複数の受光素子が等間隔に配列されている。また、図１３の枠体４と同様に、左右の枠部２４３、２４４の一方に複数の発光素子が等間隔に配列され、他方に複数の受光素子が等間隔に配列されている。また、基台２１の内部には、図１２と同様に、秤量部８を備えている。
図２（ａ）は、この装置を図１のＢ方向から見た正面図であり、上枠２４１のＡ−Ａの位置にカメラ２５が斜め下方を向いて設置されている。Ａ−Ａ位置での断面図を図２（ｂ）に示している。
【００２０】
瞬間調光ガラス板２２は、図３に示すように、一対の透明ガラス２２１の間に透明電極膜２２２を介して液晶シート２２３が挟み込まれている。透明電極膜２２２に電圧を印加すると、液晶シート２２３の液晶分子が揃い、瞬間調光ガラス板２２を光が透過する。一方、電圧の印加を停止すると、液晶シート２２３の液晶分子の状態が変化して光を遮断する。
【００２１】
プログラマブル表示器２３は、グラフィック表示が可能なディスプレイ画面と、このディスプレイ画面に重ね合わされたタッチパネルとを備えている。ディスプレイ画面の表示内容とタッチパネルにおける操作位置とはあらかじめプログラムによって対応付けられており、ディスプレイ画面により表示されるスイッチ、ボタン等の表示位置でタッチパネルに触れることによって、プログラムにより設定されている操作内容に応じた指示データが外部装置に送信される。
【００２２】
図４は、この実施形態のカメラ付き寸法重量測定装置に設けられるプログラマブル表示器２３のブロック図を示している。
プログラマブル表示器２３は、被測定物品の寸法及び重量の測定を実行する寸法重量測定部本体３０と、被測定物品に付されたバーコードを読み取るバーコードリーダー５０と、カメラ２５とに接続して、これらに必要な指示を与え、また、それらが取得したデータを取り込む。
【００２３】
こうした動作を行うため、プログラマブル表示器２３は、寸法重量測定部本体３０やバーコードリーダー５０とのデータ送受信を行う外部機器接続Ｉ／Ｆ２３０と、プログラマブル表示器２３の動作を規定するプログラムが格納されるＲＯＭ２３２と、各種の演算結果が適宜格納されるＲＡＭ２３３と、カメラ２５を制御するカメラコントローラ２３７と、タッチパネル２３６に対する押圧操作による指示を取り込むタッチパネルコントローラ２３５と、ディスプレイ２５０に表示される内容を保持するビデオＲＡＭ２３８と、ビデオＲＡＭ２３８内に保持された内容に対応した表示をディスプレイ２５０に行うグラフィックコントローラ２３９と、プログラマブル表示器２３の全体を制御するＣＰＵ２３１と、ＲＡＭ２３３に格納された演算結果を記憶媒体に出力するための記憶媒体Ｉ／Ｆ２３４とを備えている。
【００２４】
また、図７は、プログラマブル表示器２３のディスプレイ２５０の表示画面を示している。バーコード表示領域２５４には、バーコードリーダー５０から取り込んだバーコードデータが表示される。画像データ表示領域２５５には、カメラ２５から取り込んだ画像や寸法重量測定部本体３０で作成されたシルエット画像が表示される。測定データ表示領域２５６には、寸法重量測定部本体３０で測定された寸法データや重量データが表示される。撮影ボタン２５１は、カメラ２５の静止画像を取り込む際に操作される。測定開始ボタン２５２は、寸法重量測定部本体３０に寸法・重量の測定開始を指示する際に操作される。記録データ読出ボタン２５３は、保持された画像データや測定データを読み出す際に操作される。
なお、カメラ画像は、商品マスターやピッキングリストに登録するために撮影され、シルエット画像は、寸法重量測定部本体３０での寸法データの測定状況を確認するために作成・表示される。
【００２５】
また、図５は、寸法重量測定部本体３０のブロック図を示している。この寸法重量測定部本体３０は、プログラマブル表示器２３からの指示に応じて枠体２４の移動を行う枠体駆動部３０７と、枠体２４の駆動時に瞬間調光ガラス２２に電圧を印加して透明化する瞬間調光ガラス透明度切替部３０３と、枠体２４の駆動時に枠体２４の上枠２４１に配列された受光素子３０８が光遮断状態に在る間の枠体２４の移動距離に基づいて被測定物品のＸ方向の寸法（長さ）を算出し、枠体２４の上枠２４１に配列された受光素子３０８の内で光遮断状態に在る受光素子の端から端までの距離に基づいてＹ方向の被測定物品の寸法（幅）を算出し、枠体２４の左枠２４３（または右枠２４４）に配列された受光素子３０８の内で光遮断状態の受光素子の最高位置に基づいて高さ方向の被測定物品の寸法を算出する寸法計測部３０５と、枠体２４の移動に連れて光遮断状態となった上枠２４１の受光素子３０８の位置から被測定物品の平面図のシルエット画像を作成し、枠体２４の移動に連れて光遮断状態となった左枠２４３（または右枠２４４）の受光素子３０８の位置から被測定物品の側面図のシルエット画像を作成するシルエット画像作成部３０６と、被測定物品の重量を測定する計量部３０４と、寸法重量測定部本体３０の動作を規定するプログラムが格納されたＲＯＭ３０１と、各種の演算結果が適宜格納されるＲＡＭ３０２と、寸法重量測定部本体３０の全体を制御する制御部３００と、プログラマブル表示器２３からの指示を受信し、測定データをプログラマブル表示器２３に送信する通信部３１０と、シルエット画像作成部３０６で作成されたシルエット画像をプログラマブル表示器２３に送信する画像データ送信部３０９とを備えている。
【００２６】
図６は、このカメラ付き寸法重量測定装置の動作をフロー図で示している。
作業者が、バーコードリーダーを用いて対象商品に付されているバーコードを読み取ると（ステップ１）、バーコードデータがプログラマブル表示器２３に取り込まれ、バーコード表示領域２５４に表示される（ステップ２）。
作業者は対象商品を寸法重量測定部本体３０の瞬間調光ガラス２２の上に載置する（ステップ３）。このとき、瞬間調光ガラス２２は非透明状態にある。カメラ２５は、対象商品を動画撮影しており、その動画がプログラマブル表示器２３の画像データ表示領域２５５に表示される（ステップ４）。
【００２７】
作業者は、この動画を見ながら、対象商品の外表面がカメラ２５で良く写るように、対象商品の位置や向きを瞬間調光ガラス２２上で調整した後、プログラマブル表示器２３の撮影ボタン２５１を押す（ステップ５）。プログラマブル表示器２３は、カメラ２５の画像を取り込み、画像データ表示領域２５５に静止画を表示する（ステップ６）。
図８は、撮影ボタン２５１が押されたときのプログラマブル表示器２３のディスプレイ２５０の表示を示している。
【００２８】
次に、作業者がプログラマブル表示器２３の測定開始ボタンを押すと（ステップ７）、プログラマブル表示器２３から寸法重量測定部本体３０に測定指示が送られ、寸法重量測定部本体３０の瞬間調光ガラス透明度切替部３０３は、瞬間調光ガラス２２に電圧を印加して透明化する（ステップ８）。また、プログラマブル表示器２３の画像データ表示領域２５５の表示は、カメラ２５の静止画像からシルエット画像に切り替わる（ステップ９）。
寸法重量測定部本体３０の枠体駆動部３０７は枠体２４を移動し、寸法計測部３０５は対象商品の寸法計測を行い、シルエット画像作成部３０６はシルエット画像を作成する（ステップ１０）。シルエット画像作成部３０６で作成されたシルエット画像は、順次、プログラマブル表示器２３に取り込まれ、画像データ表示領域２５５に表示される。
【００２９】
寸法測定が終了すると（ステップ１１）、プログラマブル表示器２３は、寸法データを取り込んで測定データ表示領域２５６に表示する（ステップ１２）。このとき、画像データ表示領域２５５には、対象商品の全体のシルエット画像が表示される（ステップ１３）。作業者は、このシルエット画像から寸法測定が終了したことを確認することができる。
また、寸法重量測定部本体３０の計量部３０４は、測定開始ボタンが押されると、対象商品の重量を計測し（ステップ１４）、プログラマブル表示器２３は、計量データを取り込んで測定データ表示領域２５６に表示する（ステップ１５）。
図９は、寸法重量測定部本体３０での測定が終了したときのプログラマブル表示器２３のディスプレイ２５０の表示を示している。
なお、図９では、画像データ表示領域２５５に対象商品の平面図のシルエット画像と側面図のシルエット画像とを表示しているが、平面図のシルエット画像だけ、或いは側面図のシルエット画像だけを表示しても良い。
また、対象商品の外形が四角形以外の異形形状である場合は、シルエット画像に加えて、その外形を囲む最小の四角形を表示するようにしても良い。
【００３０】
プログラマブル表示器２３のＣＰＵ２３１は、取り込んだカメラ静止画、シルエット画像、重量データ及び寸法データをバーコードデータに紐付けし（ステップ１６）、ＲＡＭ２３３に格納する（ステップ１７）。
図１０は、ＲＡＭ２３３に格納されたデータを示している。
このバーコードデータに紐付けされたデータは、プログラマブル表示器２３の記録媒体Ｉ／Ｆ２３４に装着された記録媒体に記録されて上位装置に送られ、あるいは、無線や有線を介して上位装置に送信される。上位装置は、このデータの中から、バーコードデータ、静止画像、重量、寸法等、必要なデータを商品マスターやピッキングリストに登録する。
【００３１】
また、プログラマブル表示器２３のディスプレイ２５０の記録データ読出ボタン２５３を操作することで、過去にＲＡＭ２３３に格納された対象商品のデータを読み出してディスプレイ２５０に表示することができる。例えば、対象商品の表面の表示だけが変更されたような場合、その対象商品の過去のデータを読み出し、その対象商品の画像をカメラ２５で撮り直して更新することができる。
【００３２】
このように、このカメラ付き寸法重量測定装置では、物品の寸法や重量等の属性データを物品の外表面の画像データと簡単に関係付けることができる。
また、カメラ２５による物品の外表面の撮影は、瞬間調光ガラス２２が透明でない状態で行われるため、基台２１の内部が写り込まず、物品の外表面を綺麗に写すことができる。一方、物品の寸法測定時には、瞬間調光ガラス２２が透明化されるので、受光素子における発光素子の光束の受光に支障は生じない。
【００３３】
なお、瞬間調光ガラス２２の表面に更に反射防止膜を設けて、対象物品以外の物が瞬間調光ガラス板に反射して写り込むのを防ぐようにしても良い。
また、ここでは、固定された対象商品に対して、枠体が移動する方式の装置について説明したが、本発明は、固定された枠体に対して、対象商品が移動する方式の装置にも適用できる。
【産業上の利用可能性】
【００３４】
本発明のカメラ付き寸法重量測定装置は、商品の外表面の画像データと商品の寸法や重量等の属性データとを商品コードを介して簡単に紐付けることが可能であり、商品マスターやピッキングリストを作成する物流センターや、商品とともに商品マスターを納品する製造業者等において広く利用することができる。
【符号の説明】
【００３５】
２１    基台
２２    瞬間調光ガラス板
２３    プログラマブル表示器
２４    枠体
２５    カメラ
３０    寸法重量測定部本体
５０    バーコードリーダー
２２１  透明ガラス
２２２  透明電極膜
２２３  液晶シート
２３０  外部機器接続Ｉ／Ｆ
２３１  ＣＰＵ
２３２  ＲＯＭ
２３３  ＲＡＭ
２３４  記憶媒体Ｉ／Ｆ
２３５  タッチパネルコントローラ
２３６  タッチパネル
２３７  カメラコントローラ
２３８  ビデオＲＡＭ
２３９  グラフィックコントローラ
２４１  上枠
２４３  左枠部
２４４  右枠部
２５０  ディスプレイ
２５１  撮影ボタン
２５２  測定開始ボタン
２５３  記録データ読出ボタン
２５４  バーコード表示領域
２５５  画像データ表示領域
２５６  測定データ表示領域
３００  制御部
３０１  ＲＯＭ
３０２  ＲＡＭ
３０３  瞬間調光ガラス透明度切替部
３０４  計量部
３０５  寸法計測部
３０６  シルエット画像作成部
３０７  枠体駆動部
３０８  受光素子
３０９  画像データ送信部
３１０  通信部
【図１】
2017067733.tif 000003
【図２】
2017067733.tif 000004
【図３】
2017067733.tif 000005
【図４】
2017067733.tif 000006
【図５】
2017067733.tif 000007
【図６】
2017067733.tif 000008
【図７】
2017067733.tif 000009
【図８】
2017067733.tif 000010
【図９】
2017067733.tif 000011
【図１０】
2017067733.tif 000012
【図１１】
2017067733.tif 000013
【図１２】
2017067733.tif 000014
【図１３】
2017067733.tif 000015
【図１４】
2017067733.tif 000016